(57)【要約】      （修正有）【課題】被投影面が、面中心から面周辺部に向かうにつれ物体側へ倒れるように湾曲している撮像素子とともに用いられ、最も像側のレンズの形状を規定することにより、コンパクトでありながらも、諸収差が良好に補正され、シェーディングを抑制できるような撮像レンズ、並びに撮像装置を提供する。【解決手段】撮像レンズは、４枚以上のレンズからなり、以下の条件式を満足する。０．５＜ＴＨ１（０．７）／ＴＨ１（０）＜１．７５（１）、Ｌ／２Ｙ＜０．８０（２）、但し、ＴＨ１（０．７）：最も像側のレンズの物体側有効径の7割の高さにおける光軸方向厚み（mm）ＴＨ１（０）：最も像側のレンズの光軸方向中心厚（mm）Ｌ：最も物体側のレンズ面から像側焦点までの光軸上距離（mm）２Ｙ：固体撮像素子の被投影面対角線長（固体撮像素子の矩形実効画素領域の対角線長）（mm）。【選択図】図５
2015022152.tif 000002
【特許請求の範囲】
【請求項１】
固体撮像素子の被投影面に被写体像を結像させるための撮像レンズであって、
前記被投影面は、面中心から面周辺部に向かうにつれ物体側へ倒れるように湾曲しており、
前記撮像レンズは４枚以上のレンズからなり、以下の条件式を満足することを特徴とする撮像レンズ。
０．５＜ＴＨ１（０．７）／ＴＨ１（０）＜１．７５      （１）
Ｌ／２Ｙ＜０．８０      （２）
但し、
ＴＨ１（０．７）：最も像側のレンズにおける物体側有効径の7割の高さにおける光軸方向厚み（mm）
ＴＨ１（０）：最も像側のレンズにおける光軸方向中心厚（mm）
Ｌ：撮像レンズ全系の最も物体側のレンズ面から像側焦点までの光軸上の距離（mm）
２Ｙ：固体撮像素子の被投影面対角線長（固体撮像素子の矩形実効画素領域の対角線長）（mm）
【請求項２】
前記最も像側のレンズから物体側に数えて２番目のレンズの形状が、以下の条件式を満足することを特徴とする撮像レンズ。
０．５＜ＴＨ２（０．７）／ＴＨ２（０）＜１．７５      （３）
但し、
ＴＨ２（０．７）：前記最も像側のレンズから物体側に数えて２番目のレンズにおける物体側有効径の7割の高さにおける光軸方向厚み（mm）
ＴＨ２（０）：前記最も像側のレンズから物体側に数えて２番目のレンズにおける光軸方向中心厚（mm）
【請求項３】
前記被投影面の湾曲量は、以下の条件式を満足することを特徴とする請求項１又は２に記載の撮像レンズ。
０．０５＜ＳＡＧＩ／Ｙ＜１．５０      （４）
ただし、
Ｙ：最大像高（ｍｍ）
ＳＡＧＩ：前記被投影面の最大像高での光軸方向の変位量（ｍｍ）
【請求項４】
以下の条件式を満足することを特徴とする請求項１〜３のいずれかに記載の撮像レンズ。
０．７＜Ｙ／ｆ＜１．３０      （５）
ただし、
ｆ：撮像レンズ全系の焦点距離（ｍｍ）
【請求項５】
前記撮像レンズは、物体側より順に、負の屈折力を有する第１レンズと、正の屈折力を有する第２レンズとからなる正群と、負群とから構成された４枚以上のレンズからなり、以下の条件式を満足することを特徴とする請求項１〜４のいずれかに記載の撮像レンズ。
νｄ２−νｄ１＞２０      （６）
｜Ｐ１／Ｐ２｜＜０．５      （７）
ただし、
νｄ１：前記第１レンズを構成する材料のアッベ数
νｄ２：前記第２レンズを構成する材料のアッベ数
Ｐ１：前記第１レンズの屈折力
Ｐ２：前記第２レンズの屈折力
【請求項６】
請求項１〜５のいずれかに記載の撮像レンズと、被投影面が面中心から面周辺部に向かうにつれ物体側へ倒れるように湾曲している固体撮像素子とを有することを特徴とする撮像装置。
【発明の詳細な説明】
【技術分野】
【０００１】
本発明は、ＣＣＤ型イメージセンサあるいはＣＭＯＳ型イメージセンサ等の固体撮像素子を用いた小型の撮像装置に好適な撮像装置およびこれを備える携帯端末に関する。
【背景技術】
【０００２】
近年、ＣＣＤ(Charged Coupled Device)型イメージセンサあるいはＣＭＯＳ(Complementary Metal Oxide Semiconductor)型イメージセンサ等の固体撮像素子を用いた小型の撮像装置が、携帯電話やＰＤＡ(Personal Digital Assistance)等の携帯端末、更にはノートパソコン等にも搭載されるようになり、遠隔地や音声情報だけなく画像情報も相互に転送することが可能になってきている。
【０００３】
このような撮像装置に用いられる固体撮像素子においては、近年、画素サイズの小型化が進み、撮像素子の高画素化や小型化が図られている。さらに、撮像面を湾曲させた撮像素子も開発されており、そのような撮像素子に最適な、小型で高性能を有する撮影レンズが求められるようになっている。
【０００４】
一方、撮像装置の更なる小型化をするためにも撮像レンズの全長もさらに小さくすることが要求されている。撮像レンズは、パワー（屈折力）配置や、レンズの厚み、空気間隔の工夫で小型化することには限界があり、近年、撮像レンズの焦点距離を短くした広角レンズを用いることで、光学系の全長を小さくする試みがされようになってきた。
【０００５】
ここで、特許文献１に、湾曲した撮像面を用いた小型の撮影レンズが提案されている。特許文献１に記載の撮像レンズは、光学系をコンパクトにすることにより発生する像面湾曲の低減と撮像面法線に対する主光線入射角の緩和を目的として、撮像素子をレンズ側へ湾曲させ、それに対応する撮像レンズを開示している。
【先行技術文献】
【特許文献】
【０００６】
【特許文献１】国際公開第２０１３／０２７６４１号パンフレット
【発明の概要】
【発明が解決しようとする課題】
【０００７】
しかしながら、特許文献１の最像側レンズは偏肉比が大きい形状となっているため、最像側レンズの周辺部を通過して撮像面周辺に結像する光束は、最像側レンズで大きく屈折することになる。この結果、コマ収差などの好ましくない収差が発生することとなり、良好な光学性能にすることが出来ない。また、撮像面に近い外径の大きいレンズは、偏肉比が大きくなる場合、例えば、射出成形でレンズを作製すると、樹脂の流動性に問題が生じ、金型形状がうまく転写されず、面形状に不良が発生する恐れがある。この結果、さらに光学性能が劣化することとなる。
【０００８】
本発明は、このような問題点に鑑みてなされたものであり、被投影面が面中心から面周辺部に向かうにつれ物体側へ倒れるように湾曲している撮像素子とともに用いられ、最も像側のレンズの形状を規定することにより、コンパクトでありながらも、諸収差が良好に補正され、シェーディングを抑制できるような撮像レンズ並びに撮像装置を提供することを目的とする。
【０００９】
ここで、小型の撮像レンズの尺度であるが、本発明では、以下の条件式（２）を満たすレベルの小型化を目指している。この範囲を満たすことで、撮像装置全体の小型軽量化が可能となる。
Ｌ／２Ｙ＜０．８０      （２）
ただし、
Ｌ：撮像レンズ全系の最も物体側のレンズ面から像側焦点までの光軸上の距離（ｍｍ）
２Ｙ：固体撮像素子の被投影面対角線長（固体撮像素子の矩形実効画素領域の対角線長）（ｍｍ）
ここで、「像側焦点」とは、撮像レンズに光軸と平行な平行光線が入射した場合の像点をいう。
【課題を解決するための手段】
【００１０】
請求項１に記載の撮像レンズは、固体撮像素子の被投影面に被写体像を結像させるための撮像レンズであって、
前記被投影面は、面中心から面周辺部に向かうにつれ物体側へ倒れるように湾曲しており、
前記撮像レンズは４枚以上のレンズからなり、以下の条件式を満足することを特徴とする。
０．５＜ＴＨ１（０．７）／ＴＨ１（０）＜１．７５      （１）
Ｌ／２Ｙ＜０．８０      （２）
但し、
ＴＨ１（０．７）：最も像側のレンズにおける物体側有効径の7割の高さにおける光軸方向厚み（mm）
ＴＨ１（０）：最も像側のレンズにおける光軸方向中心厚（mm）
Ｌ：撮像レンズ全系の最も物体側のレンズ面から像側焦点までの光軸上の距離（mm）
２Ｙ：固体撮像素子の被投影面対角線長（固体撮像素子の矩形実効画素領域の対角線長）（mm）
【００１１】
条件式（１）は、被投影面周辺に結像する光学性能を良好にし、さらに最も像側のレンズの偏肉比が大きくなることを防ぎ、該レンズ作製を容易にするために最適な条件を規定する。具体的には、条件式（１）の値が下限を上回ると、例えば、射出成形で最も像側のレンズを作製する場合、該レンズ周辺部において、樹脂が流れにくくなることを防げるため、該当部分でウェルドが発生したり、金型形状がうまく転写されず、面形状に不良が発生して、光学性能が劣化することを防げる。一方、条件式（１）の値が上限を下回ると、撮像面周辺に結像する光束が最も像側のレンズを通過する際、大きく屈折することを防げるため、コマなどの収差が発生することによる周辺の光学性能の劣化を防ぐことができる。尚、条件式（１）の値が上限を下回ると、該レンズ周辺部を通過する光線が光軸に対して傾くことになるが、固体撮像素子の被投影面は、面中心から面周辺部に向かうにつれ物体側へ倒れるように湾曲しているから、被投影面に垂直に近い状態で入射することで、コマ収差が抑制され、またシェーディングが抑制されるため、高画質な画像を得ることができる。ここで、「湾曲」しているとは、被投影面上において撮像レンズの光軸と交差する点に対し、その周辺の点が光軸方向において撮像レンズに近接する側に位置することをいう。
【００１２】
条件式（２）は撮像レンズをコンパクトにする条件、及び条件式（１）を両立させるのに適した光学全長と最大像高の関係を規定する。具体的には、条件式（２）の値が上限を下回ることで、条件式（１）を満たしつつ、いわゆる携帯電話に搭載されるような小型の撮像装置に用いることができる低背の撮像素子を実現できる。
【００１３】
請求項２に記載の撮像レンズは、請求項１に記載の発明において、前記最も像側のレンズから物体側に数えて２番目のレンズの形状が、以下の条件式を満足することを特徴とする。
０．５＜ＴＨ２（０．７）／ＴＨ２（０）＜１．７５      （３）
但し、
ＴＨ２（０．７）：前記最も像側のレンズから物体側に数えて２番目のレンズにおける物体側有効径の7割の高さにおける光軸方向厚み（mm）
ＴＨ２（０）：前記最も像側のレンズから物体側に数えて２番目のレンズにおける光軸方向中心厚（mm）
【００１４】
条件式（３）は、撮像面周辺に結像する光学性能を良好にし、さらに最も像側から物体側に数えて２番目のレンズの偏肉比が大きくなることを防ぎ、該２番目のレンズ作製を容易にするために最適な条件を規定する。具体的には、条件式（３）の値が下限を上回ると、例えば、射出成形で最も像側から物体側に数えて２番目のレンズを作製する場合、該レンズ周辺部において、樹脂が流れにくくなることを防げるため、該当部分でウェルドが発生したり、金型形状がうまく転写されず、面形状に不良が発生して、光学性能が劣化することを防げる。一方、条件式（３）の値が上限を下回ると、撮像面周辺に結像する光束が最も像側から物体側に数えて２番目のレンズを通過する際、大きく屈折することを防げるため、コマなどの収差が発生することによる周辺の光学性能が劣化を防ぐことができる。
【００１５】
請求項３に記載の撮像レンズは、請求項１又は２に記載の発明において、前記被投影面の湾曲量は、以下の条件式を満足することを特徴とする。
０．０５＜ＳＡＧＩ／Ｙ＜１．５０      （４）
ただし、
Ｙ：最大像高（ｍｍ）
ＳＡＧＩ：前記被投影面の最大像高での光軸方向の変位量（ｍｍ）
【００１６】
条件式（４）は、被投影面の湾曲量を適切に設定するための条件を規定する。条件式（４）の値が下限を上回ると、被投影面（撮像面）の湾曲量を適度に維持することができ、最も像側のレンズの偏肉比が大きくなることを防げるため、加工し易いレンズにすることができる。また、撮像レンズでのテレセントリック特性や像面湾曲の補正負担が増大することを防げるため、コマ収差や色収差を良好に補正できる。一方、条件式（４）の値が上限を下回ると、被投影面（撮像面）の湾曲量が大きくなり過ぎることによって像面湾曲の補正が過剰となることを防ぐことができる。
【００１７】
請求項４に記載の撮像レンズは、請求項１〜３のいずれかに記載の発明において、以下の条件式を満足することを特徴とする。
０．７＜Ｙ／ｆ＜１．３０      （５）
ただし、
ｆ：撮像レンズ全系の焦点距離（ｍｍ）
【００１８】
条件式（５）は、撮像レンズとしての高性能低背光学系に最適な全系の焦点距離と最大像高の比率の条件を規定する。条件式（５）の値が下限を上回ると、焦点距離が長くなることを防ぐことにより、低背化に有利な構成となる。一方、条件式（５）の値が上限を下回ることにより、画角が大きくなること防ぐことができる為、倍率色収差を容易に補正することが出来、高性能を保つことができる。
【００１９】
請求項５に記載の撮像レンズは、請求項１〜４のいずれかに記載の発明において、前記撮像レンズは、物体側より順に、負の屈折力を有する第１レンズと、正の屈折力を有する第２レンズとからなる正群と、負群とから構成された４枚以上のレンズからなり、以下の条件式を満足することを特徴とする。
νｄ２−νｄ１＞２０      （６）
｜Ｐ１／Ｐ２｜＜０．５      （７）
ただし、
νｄ１：前記第１レンズを構成する材料のアッベ数
νｄ２：前記第２レンズを構成する材料のアッベ数
Ｐ１：前記第１レンズの屈折力
Ｐ２：前記第２レンズの屈折力
【００２０】
条件式（６）は、光学系の色収差を適切に補正するための条件を規定する。条件式（６）の値が下限を上回ることで、負の屈折力を有する第１レンズの分散が正の屈折力を有する第２レンズの分散よりも小さく、かつレンズ材料の分散に十分な差を持たせられるため色収差の補正に有利となる。
【００２１】
更に、条件式（７）は、負の屈折力を有する第１レンズと正の屈折力を有する第２レンズからなる正群が、いわゆるテレフォトタイプを実現するために、十分な正の屈折力を有するための条件式である。条件式（７）の値が上限を下回ることで、正群に十分な正の屈折力を持たせることができ、テレフォトタイプを実現でき全長の短縮に有利となる。尚、第１レンズに負の屈折力を持たせることで、レンズバックを長くとれる効果もある。
【００２２】
請求項６に記載の撮像装置は、請求項１〜５のいずれかに記載の撮像レンズと、被投影面が面中心から面周辺部に向かうにつれ物体側へ倒れるように湾曲している固体撮像素子とを有することを特徴とする。
【発明の効果】
【００２３】
本発明によれば、被投影面が面中心から面周辺部に向かうにつれ物体側へ倒れるように湾曲している撮像素子とともに用いられ、最も像側のレンズの形状を規定することにより、コンパクトでありながらも、諸収差が良好に補正され、シェーディングを抑制できるような撮像レンズ並びに撮像装置を提供することができる。
【図面の簡単な説明】
【００２４】
【図１】本実施の形態にかかる撮像ユニット５０の斜視図である。
【図２】撮像ユニット５０の撮像光学系の光軸に沿った断面を模式的に示した図である。
【図３】撮像ユニットを適用した携帯端末としてのスマートフォンの正面図（ａ）、及び撮像ユニットを適用したスマートフォンの背面図（ｂ）である。
【図４】図３のスマートフォンの制御ブロック図である。
【図５】実施例１の撮像レンズの光軸方向断面図である。
【図６】実施例１の収差図（球面収差（ａ）、非点収差（ｂ）、歪曲収差（ｃ））である。
【図７】実施例２の撮像レンズの光軸方向断面図である。
【図８】実施例２の収差図（球面収差（ａ）、非点収差（ｂ）、歪曲収差（ｃ））である。
【発明を実施するための形態】
【００２５】
以下、本発明の実施の形態を、図面を参照して説明する。図１は、本実施の形態にかかる撮像ユニット（撮像装置）５０の斜視図であり、図２は、撮像ユニット５０の撮像レンズの光軸に沿った断面を模式的に示した図である。
【００２６】
図１、２に示すように、撮像ユニット５０は、光電変換部５１ａを有する固体撮像素子としてのＣＭＯＳ型撮像素子５１と、この撮像素子５１の光電変換部５１ａに被写体像を撮像させる撮像レンズ１０と、撮像素子５１を保持すると共にその電気信号の送受を行う基板５２と、物体側からの光入射用の開口部を有し遮光部材からなる鏡筒としての筐体５３とを備え、これらが一体的に形成されている。
【００２７】
図２に示すように、撮像素子５１は、その受光側の湾曲した面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の湾曲した面の外縁近傍には、多数のパッド（図示略）が配置されており、ワイヤ（不図示）を介して基板５２に接続されている。撮像素子５１は、光電変換部５１ａからの信号電荷をデジタルＹＵＶ信号等の画像信号等に変換し、ワイヤ（不図示）を介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。被投影面である光電変換部５１ａの湾曲量は、以下の条件式を満足すると好ましい。
０．０５＜ＳＡＧＩ／Ｙ＜１．５０      （４）
ただし、
Ｙ：最大像高
ＳＡＧＩ：被投影面の最大像高での光軸方向の変位量
尚、固体撮像素子の被投影面対角線長最大像高２Ｙや最大像高Ｙは、湾曲した被投影面又は撮像面に沿った弧の長さを言うものとする。
【００２８】
基板５２は、その上面で撮像素子５１及び筐体５３を支持している。図示していないが、基板５２は多数の信号伝達用パッドを有しており、不図示の配線を介して撮像素子５１と接続されている。
【００２９】
図２において、基板５２は、外部回路（例えば、撮像ユニットを実装した上位装置が有する制御回路）とを接続し、外部回路から撮像素子５１を駆動するための電圧やクロック信号の供給を受けたり、また、デジタルＹＵＶ信号を外部回路ヘ出力したりすることを可能とする。
【００３０】
図２において、筐体５３は、基板５２における撮像素子５１が設けられた面上に、撮像素子５１を覆うようにして固定配置されている。即ち、筐体５３は、撮像素子５１側の部分が撮像素子５１を囲むように広く開口されると共に、他端部（物体側端部）が小開口を有するフランジ部５３ａを形成しており、基板５２上に撮像素子５１側の端部（像側端部）が当接固定されている。
【００３１】
尚、撮像レンズ１０と撮像素子５１との間において、ＩＲカットフィルタ（又はカバーガラス）を設けてもよい。又、図示していないが、開口絞りは、第１レンズＬ１と第２レンズＬ２との間、もしくは第１レンズＬ１の物体側面の面頂点より像側であって、第１レンズＬ１の物体側面の最周辺部より物体側に配置されていると好ましい。
【００３２】
筐体５３内に配置された撮像レンズ１０は、物体側より順に、負の屈折力を有する第１レンズＬ１と、正の屈折力を有する第２レンズＬ２と、第３レンズＬ３と、第４レンズＬ４と第５レンズＬ５とを有する。レンズＬ１，Ｌ２が正群を構成し、レンズＬ３，Ｌ４，Ｌ５が、負群を構成する。更に、以下の条件式を満足する。
０．５＜ＴＨ１（０．７）／ＴＨ１（０）＜１．７５      （１）
Ｌ／２Ｙ＜０．８０      （２）
但し、
ＴＨ１（０．７）：第５レンズＬ５における物体側有効径の7割の高さにおける光軸方向厚み（mm）
ＴＨ１（０）：第５レンズＬ５における光軸方向中心厚（mm）
Ｌ：第１レンズＬ１の面から像側焦点までの光軸上の距離（mm）
２Ｙ：固体撮像素子の被投影面対角線長（固体撮像素子の矩形実効画素領域の対角線長）（mm）
【００３３】
各レンズのフランジ間、及び第５レンズＬ５と基板５２間には、スペーサＳＰが配置されてなり、光軸間距離を適正に維持している。
【００３４】
上述した撮像ユニット５０の動作について説明する。図３は、撮像ユニット５０を携帯端末としてのスマートフォン１００に装備した状態を示す図である。また、図４はスマートフォン１００の制御ブロック図である。
【００３５】
撮像ユニット５０は、例えば、筐体５３の物体側端面がスマートフォン１００の背面（図３（ｂ）参照）に設けられ、タッチパネル７０の裏側に相当する位置に配設される。
【００３６】
撮像ユニット５０は、スマートフォン１００の制御部１０１と接続され、輝度信号や色差信号等の画像信号を制御部１０１側に出力する。
【００３７】
一方、スマートフォン１００は、図４に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像ユニット５０により得られた撮像データ等を一時的に格納する作業領域として用いられる及び一時記憶部（ＲＡＭ）９２とを備えている。
【００３８】
スマートフォン１００は、入力キー部６０の操作によって動作し、タッチパネル（表示部）７０に表示されたアイコン７１等をタッチすることで、撮像ユニット５０を動作させて撮像を行うことができる。撮像ユニット５０から入力された画像信号は、制御部１０１で後述する画像処理を施され、上記スマートフォン１００の制御系により、記憶部９２に記憶されたり、或いはタッチパネル７０で表示され、さらには、無線通信部８０を介して映像情報として外部に送信される。
【００３９】
［実施例］
以下、本発明の撮像レンズの実施例を示す。各実施例において、非球面係数が記載されている面が非球面形状を有する面であり、非球面の形状は、面の頂点を原点とし、光軸方向にＸ軸をとり、光軸と垂直方向の高さをｈとして以下の「数１」で表す。
【００４０】
【数１】
2015022152.tif 000003
ただし、
Ａｉ：ｉ次の非球面係数
Ｒ  ：曲率半径
Ｋ  ：円錐定数
【００４１】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。
【００４２】
［表１］
実施例1
面番号  曲率半径    間隔    屈折率  アッベ数
物体    ∞          ∞      
L1-S1   2.0583      0.200   1.6347  23.9 
L1-S2   1.8472      0.123       
L2-S1   2.2004      0.612   1.5447  56.0 
L2-S2   -2.0944     0.050       
L3-S1   11.6532     0.200   1.6347  23.9 
L3-S2   4.5835      0.556       
L4-S1   -2.7444     0.281   1.6347  23.9 
L4-S2   13.4759     0.072       
L5-S1   0.8290      0.370   1.5447  56.0 
L5-S2   1.0837      1.035       
像面    -7.0648 
非球面係数 
S1(物体側面）       S2(像側面） 
L1  K=  3.1984E+00      K=  3.7717E+00
A3= -1.6461E-02     A3= 1.1200E-03
A4= -2.1165E-01     A4= -2.7435E-01
A5= -2.8445E-02     A5= 3.8555E-02
A6= -2.5660E-01     A6= -3.2458E-01
A8= 2.7658E-01      A8= 2.9400E-01
A10= -1.2928E-01    A10= -1.7082E-01
A12= 0.0000E+00     A12= 0.0000E+00
A14= 0.0000E+00     A14= 0.0000E+00
L2  K=  -1.1636E+00     K=  4.6054E+00
A3= 0.0000E+00      A3= 0.0000E+00
A4= 1.7399E-02      A4= 1.9939E-03
A5= 0.0000E+00      A5= 0.0000E+00
A6= -8.0898E-02     A6= 3.2562E-03
A8= 1.1877E-01      A8= 1.4373E-01
A10= -4.0864E-01    A10= -3.2907E-01
A12= 0.0000E+00     A12= 0.0000E+00
A14= 0.0000E+00     A14= 0.0000E+00
L3  K=  -3.4098E+01     K=  -2.0014E+01
A3= 1.2385E-02      A3= 3.6624E-02
A4= -8.7829E-02     A4= -4.1278E-02
A5= 2.1450E-02      A5= 1.9908E-03
A6= 7.1392E-02      A6= 1.1008E-01
A8= -3.2622E-02     A8= -3.3316E-02
A10= -7.9945E-02    A10= -1.6964E-02
A12= -1.0019E-01    A12= 0.0000E+00
A14= 0.0000E+00     A14= 0.0000E+00
L4  K=  -8.9844E+01     K=  8.4093E+01
A3= 2.2630E-03      A3= -2.6338E-01
A4= 1.7851E-01      A4= 2.5205E-01
A5= -5.5380E-01     A5= -1.0125E-01
A6= 5.4577E-01      A6= 2.3082E-02
A8= -3.7052E-01     A8= -3.7573E-02
A10= 1.8576E-01     A10= 9.9718E-03
A12= -5.3725E-02    A12= -8.9547E-04
A14= 0.0000E+00     A14= 0.0000E+00
L5  K=  -7.9694E+00     K=  -7.4687E-01
A3= -1.6951E-01     A3= -1.2424E-01
A4= 4.8149E-01      A4= -2.8979E-01
A5= -8.9543E-01     A5= 1.2375E-01
A6= 3.9945E-01      A6= -1.1371E-02
A7= 1.6222E-01      A7= -1.7879E-02
A8= -1.8607E-01     A8= 2.7458E-02
A10= 5.9254E-02     A10= -1.3955E-02
A12= -2.4339E-02    A12= 3.4977E-03
A14= 4.5405E-03     A14= -3.4175E-04
【００４３】
図５は実施例１の撮像レンズの断面図である。図中、撮像レンズは、物体側より順に、負の屈折力を有する第１レンズＬ１と、正の屈折力を有する第２レンズＬ２と、第３レンズＬ３と、第４レンズＬ４と、第５レンズＬ５とを有する。Iは撮像面（被投影面）であり、３次元に湾曲した面である。図６は実施例１の収差図（球面収差（ａ）、非点収差（ｂ）、歪曲収差（ｃ））である。ここで、球面収差図、メリディオナルコマ収差図において、６２０ｎｍの光線、５４０ｎｍの光線、４６０ｎｍの光線に対する球面収差量をそれぞれ表し、非点収差図において、実線Ｓはサジタル面、点線Ｍはメリディオナル面を表す（以下、同じ）。図６（ａ）に示すとおり、色収差は良好である。
【００４４】
実施例１に関し、各値を以下に示す。
F（Ｆナンバー）：  2.4
F（全系の焦点距離）：  2.700ｍｍ
P1（第１レンズの屈折力）：  -0.022 
P2（第２レンズの屈折力）：  0.482
Y（最大像高）：  2.880ｍｍ
L（最も物体側のレンズ面から像側焦点までの距離）：  3.500ｍｍ
TH１(0)：  0.370ｍｍ
TH１(0.7)：  0.498ｍｍ
TH２(0)：  0.281ｍｍ
TH２(0.7)：  0.312ｍｍ
SAGI（被投影面の光軸方向変位量）：  0.579ｍｍ
【００４５】
実施例１に関し、条件式の値を以下に示す。
（１）TH１(0.7)/TH１(0)：  1.345
（２）L/2Y：  0.608
（３）TH２(0.7)/TH２(0)：  1.112
（４）SAGI/Y：  0.201
（５）Y/f：  1.067
（６）νd2-νd1：  32.100 
（７）|P1/P2|:  0.046
【００４６】
（実施例２）
実施例２の撮像レンズのレンズデータを、表２に示す。
【００４７】
［表２］
実施例2 
面番号  曲率半径    間隔    屈折率  アッベ数
物体    ∞          ∞      
L1-S1   3.1026      0.200   1.6347  23.9 
L1-S2   2.4148      0.199       
L2-S1   2.1843      0.657   1.5447  56.0 
L2-S2   -2.2468     0.050       
L3-S1   132.9027    0.227   1.6347  23.9 
L3-S2   3.9072      0.822       
L4-S1   -8.5588     0.279   1.5447  56.0 
L4-S2   -10.9920    0.274       
L5-S1   1.0054      0.301   1.5447  56.0 
L5-S2   0.9152      1.190       
像面    -8.5349 
非球面係数 
S1(物体側面）       S2(像側面） 
L1  K=  6.7402E+00      K=  5.1833E+00
A3= -3.0437E-03     A3= 7.8093E-04
A4= -2.2471E-01     A4= -2.7767E-01
A5= 2.7362E-02      A5= 8.7164E-02
A6= -1.4519E-01     A6= -2.8147E-01
A8= 1.8059E-01      A8= 3.6068E-01
A10= -8.6298E-02    A10= -2.2805E-01
L2  K=  -1.0950E+00     K=  3.2123E+00
A4= 1.9225E-02      A4= 6.5414E-02
A6= -8.1666E-02     A6= 4.0866E-02
A8= 9.9151E-02      A8= -5.3960E-02
A10= -8.4279E-02    A10= -4.8041E-03
L3  K=  9.0000E+01      K=  -7.6099E+00
A3= -2.4805E-02     A3= -2.2002E-02
A4= -7.7377E-02     A4= -7.4676E-02
A5= -1.0490E-02     A5= -1.2404E-03
A6= 9.7467E-02      A6= 9.7846E-02
A8= 4.3378E-03      A8= -1.7013E-02
A10= -8.1709E-02    A10= -6.2383E-03
A12= 3.2503E-02      
L4  K=  -8.9779E+01     K=  3.6100E+01
A3= -1.4250E-01     A3= -2.9383E-01
A4= 3.8822E-01      A4= 2.6210E-01
A5= -5.9437E-01     A5= -5.1474E-02
A6= 4.9535E-01      A6= 2.9861E-02
A8= -2.7108E-01     A8= -5.1918E-02
A10= 1.1520E-01     A10= 1.2532E-02
A12= -2.2383E-02    A12= 6.9612E-04
L5  K=  -7.5139E+00     K=  -2.5058E+00
A3= -2.5305E-01     A3= -2.0087E-01
A4= 5.0759E-01      A4= -7.9728E-02
A5= -8.5471E-01     A5= 1.3789E-01
A6= 4.1004E-01      A6= -7.2152E-02
A7= 1.4831E-01      A7= -2.2530E-02
A8= -1.9155E-01     A8= 4.4154E-02
A10= 6.1564E-02     A10= -1.3306E-02
A12= -2.2959E-02    A12= 2.3149E-03
A14= 3.8035E-03     A14= -1.6418E-04
【００４８】
図７は実施例２のレンズの断面図である。図中、撮像レンズは、物体側より順に、負の屈折力を有する第１レンズＬ１と、正の屈折力を有する第２レンズＬ２と、第３レンズＬ３と、第４レンズＬ４と、第５レンズＬ５とを有する。Ｓは開口絞り、Iは撮像面を示し、３次元に湾曲した面である。図８は実施例２の収差図（球面収差（ａ）、非点収差（ｂ）、歪曲収差（ｃ））である。図８（ａ）に示すとおり、色収差は良好である。
【００４９】
実施例２に関し、各値を以下に示す。
F（Ｆナンバー）：  2.4
F（全系の焦点距離）：  3.238ｍｍ
P1（第１レンズの屈折力）：  -0.052 
P2（第２レンズの屈折力）：  0.466 
Y（最大像高）：  2.880ｍｍ
L（最も物体側のレンズ面から像側焦点までの距離）：  4.200ｍｍ
TH１(0)：  0.301ｍｍ
TH１(0.7)：  0.512ｍｍ
TH２(0)：  0.279ｍｍ
TH２(0.7)：  0.226ｍｍ
SAGI（被投影面の光軸方向変位量）：  0.481ｍｍ
【００５０】
実施例２に関し、条件式の値を以下に示す。
（１）TH１(0.7)/TH１(0)：  1.700 
（２）L/2Y：  0.729 
（３）TH２(0.7)/TH２(0)：  0.810 
（４）SAGI/Y：  0.167 
（５）Y/f：  0.889 
（６）νd2-νd1：  32.130 
（７）|P1/P2|:  0.111 
【００５１】
本発明の撮像レンズは、５枚構成に限られず、４枚、もしくは６枚以上のレンズから構成されていても良い。
【符号の説明】
【００５２】
１０ 撮像レンズ
５０撮像ユニット
５１撮像素子
５１ａ光電変換部
５２基板
５３ 鏡筒
６０ 入力部
７０ タッチパネル
８０ 無線通信部
９１ 記憶部
９２ 一時記憶部
１００ スマートフォン
１０１ 制御部
Ｉ  撮像面
Ｌ１〜Ｌ５ レンズ
【図１】
2015022152.tif 000004
【図２】
2015022152.tif 000005
【図３】
2015022152.tif 000006
【図４】
2015022152.tif 000007
【図５】
2015022152.tif 000008
【図６】
2015022152.tif 000009
【図７】
2015022152.tif 000010
【図８】
2015022152.tif 000011